(57)【特許請求の範囲】
【請求項１】
スプールに巻回したテープをカセットケースに収容するとともに、該カセットケースの所定の面に凹部を形成し、前記スプール及び前記凹部を印字装置に対応して異なる位置に配置した複数種類のテープカセットが交換可能に装着されるカセット装着部と、
前記カセット装着部に装着された前記テープカセットからテープを引き出して順方向に搬送する一方、該テープを逆方向に搬送して前記テープカセットに戻すテープ搬送手段と、
前記テープ搬送手段によって順方向及び逆方向に搬送されるテープに多色印字を行う印字手段とを備え、
前記テープ搬送手段は、前記複数種類のテープカセットの各スプールに対応して前記カセット装着部に配設されて、前記各スプールに係合し回転駆動されることにより前記各スプールにテープを巻き戻す複数のテープ巻戻し軸を備え、
前記複数の各テープ巻戻し軸は、前記カセット装着部に装着される前記複数種類のテープカセットのうちで対応関係のあるテープカセットに対しては、当該テープカセットのスプールと係合し、対応関係のないテープカセットに対しては、当該テープカセットの凹部内に収容されることを特徴とする印字装置。
【請求項２】
スプールに巻回したテープをカセットケースに収容するとともに、前記スプールには前記カセットケースの所定の面より外方に突出させて係合部を形成し、該係合部を印字装置に対応して異なる位置に配置した複数種類のテープカセットが交換可能に装着されるカセット装着部と、
前記カセット装着部に装着された前記テープカセットからテープを引き出して順方向に搬送する一方、該テープを逆方向に搬送して前記テープカセットに戻すテープ搬送手段と、
前記テープ搬送手段によって順方向及び逆方向に搬送されるテープに多色印字を行う印字手段とを備え、
前記テープ搬送手段は、前記複数種類のテープカセットの各スプールに対応して前記カセット装着部の所定の面以下に配設され、前記カセット装着部に装着される前記複数種類のテープカセットのうちで対応関係のあるテープカセットの前記係合部と係合し回転駆動されることにより当該テープカセットのスプールにテープを巻き戻す複数のテープ巻戻し軸を備えることを特徴とする印字装置。
【請求項３】
前記複数のテープ巻戻し軸は共通の駆動機構によって同時に駆動されることを特徴とする請求項１又は２に記載の印字装置。
【請求項４】
スプールに巻回したテープをカセットケースに収容した複数のテープカセットであって、前記テープカセットが装着されるカセット装着部と、
前記カセット装着部に装着された前記テープカセットからテープを引き出して順方向に搬送する一方、該テープを逆方向に搬送するべく前記複数のテープカセットに個別に対応して前記カセット装着部内に設けられる複数のテープ巻取り軸を回転駆動し前記テープカセット内にテープを巻き戻すテープ搬送手段と、
前記テープ搬送手段によって順方向及び逆方向に搬送されるテープに多色印字を行う印字手段とを備えた印字装置に装着されるテープカセットにおいて、
前記複数の各テープカセットには、当該各テープカセットが前記カセット装着部に装着された状態で、前記複数のテープ巻戻し軸のうちで対応関係のあるテープ巻戻し軸に係合するべく、当該テープ巻戻し軸に対応してカセットケースにスプールを配設するとともに、前記複数のテープ巻戻し軸のうちで対応関係のないテープ巻戻し軸の干渉を回避するべく、当該テープ巻戻し軸を収容する凹部をカセットケースに形成したことを特徴とするテープカセット。
【請求項５】
前記スプールには、その軸方向の端部で、前記対応関係のあるテープ巻戻し軸に対向する側に当該テープ巻戻し軸に係合する係合部を備えることを特徴とする請求項４に記載のテープカセット。
【請求項６】
スプールに巻回したテープを形状の異なるカセットケースに収容した複数のテープカセットであって、前記テープカセットが装着されるカセット装着部と、
前記カセット装着部に装着された前記テープカセットからテープを引き出して順方向に搬送する一方、該テープを逆方向に搬送するべく前記複数のテープカセットに個別に対応して前記カセット装着部の内底部の底面以下に設けられる複数のテープ巻取り軸を備え、
該テープ巻取り軸を回転駆動し前記テープカセット内にテープを巻き戻すテープ搬送手段と、
前記テープ搬送手段によって順方向及び逆方向に搬送されるテープに多色印字を行う印字手段とを備えた印字装置に装着されるテープカセットにおいて、
前記複数の各テープカセットには、当該テープカセットが前記カセット装着部に装着された状態で、前記複数のテープ巻取り軸のうちで対応関係のあるテープ巻取り軸に係合するべく、当該テープ巻戻し軸に対応してカセットケースにスプールを配設するとともに、該スプールの軸方向の端部にカセットケースの所定の面より外方に突出する係合部を設けたことを特徴とするテープカセット。
【発明の詳細な説明】
【０００１】
【発明の属する技術分野】
本発明は、テープの収容量が異なることにより外形形状が異なるテープカセットを交換可能に装着し、それらのテープカセットに収容されたテープに多色のインクで印字を行う印字装置及びその印字装置と組み合わせて使用するテープカセットに関する。
【０００２】
【従来の技術】
従来、長さ方向に複数の色のインクが繰り返し配列された多色のインクリボンを用い、インクリボンの複数色のインクをテープ上の同一印字領域に重ねて転写してラベルなどを作成するテープ印字装置が提供されている。
【０００３】
このテープ印字装置は、発熱駆動されることによりインクリボンの多色のインクを１色づつテープに転写してテープ上に文字や画像を形成するサーマルヘッド、回転駆動されることによりインクリボン及びテープを一方向に送るプラテンを備え、更に、テープ上の同一印字領域に多色のインクを重ね転写するために、１色のインクの転写が終了する毎に印字領域の印字開始位置を前記サーマルヘッドに対応させるべく、前記プラテンによる送り方向とは反対方向にテープを逆送りする手段を備えている。
【０００４】
また、前記テープ及びインクリボンはスプールに巻回されて１個のテープカセットに収容されており、前記テープ印字装置は、前記テープカセットが装填されるカセット装着部を備え、テープ及びインクリボンをテープカセットから引き出して前記サーマルヘッドに供給するように構成している。
【０００５】
【発明が解決しようとする課題】
前記テープ印字装置は各種の用途で使用されているが、従来のテープ印字装置に使用されるテープカセットのテープの収容量は個人が家庭で時たま使用するには十分であっても、業務などの用途で大量のラベルを印字する場合には、テープの収容量が不足してテープカセットの交換が頻繁に必要になることがある。
【０００６】
そこで、従来よりカセットケースの外形形状（平面形状）を大型形状化してテープ及びインクリボンの収容量を多くした大量消費に対応できるテープカセットの供給が望まれる。
【０００７】
もっとも、テープカセットには、需要者の用途に応じて適宜選択できるように、幅の異なるテープを収容した複数種類のものが用意されているが、使用頻度の高いテープの幅は需要者の事情に応じて種々異なり、使用頻度の高い幅のテープについては、テープの収容量を増大した大型のテープカセットは便利であるが、使用頻度の低い幅のテープについては、そのようなテープカセットを必要とせず従来のテープカセットでも不自由することはない。
【０００８】
従って、前記大型形状のテープカセットも便利であるが、それよりテープ収容量の少ない従来のテープカセットもまた需要が多いため、これら形状の異なる２種類の多色印字用のテープカセットを使用できるテープ印字装置の実現が望まれる。
【０００９】
ところで、多色印字機能を有するテープ印字装置では、テープを巻き戻すための手段を備えている。このテープ巻戻し手段は、カセット装着部に設けられてテープカセットのテープ供給スプールに係合しテープの巻戻し方向に回転駆動されるテープ巻戻し軸を備えて構成される。
【００１０】
このテープ巻戻し軸は、テープカセットが装着される装置本体のカセット装着部に突出して設けられるものであるが、テープ収容量を増大した大型テープカセットを新たに加えるとすると、この大型テープカセットは従来のテープカセットとは形状が異なるとともに、テープ供給スプールも異なる位置に配置されることが避けられず、そのために、テープ巻戻し軸を大型テープカセットと従来の小型テープカセットとに共用することができない。
【００１１】
従って、２種類のテープカセットに対応してカセット装着部の異なる位置に２個のテープ巻戻し軸を設けることになるが、その場合には、一方のテープカセットのカセット装着部への装着時に他方のテープカセットに対応するテープ巻戻し軸が干渉し、他方のテープカセットのカセット装着部への装着時には一方のテープカセットに対応するテープ巻戻し軸が干渉して、テープカセットの装着ができないという問題が生じる。
【００１２】
本発明は、前記のような問題に鑑みなされたもので、複数種類の多色印字用のテープカセットに対応したテープ巻戻し手段を備えた多色印字機能を有する印字装置にあって、複数種類のテープカセットをカセット装着部に装着するときに、他のテープカセットに対応するテープ巻戻し手段によって干渉されずに装着作業を行うことができ、複数種類の多色印字用のテープカセットを交換可能に使用できる印字装置、その印字装置に使用するテープカセットを提供することを目的とする。
【００１３】
【課題を解決するための手段】
第１の発明に係る印字装置は、スプールに巻回したテープをカセットケースに収容するとともに、該カセットケースの所定の面に凹部を形成し、前記スプール及び前記凹部を印字装置に対応して異なる位置に配置した複数種類のテープカセットが交換可能に装着されるカセット装着部と、前記カセット装着部に装着された前記テープカセットからテープを引き出して順方向に搬送する一方、該テープを逆方向に搬送して前記テープカセットに戻すテープ搬送手段と、前記テープ搬送手段によって順方向及び逆方向に搬送されるテープに多色印字を行う印字手段とを備え、前記テープ搬送手段は、前記複数種類のテープカセットの各スプールに対応して前記カセット装着部に配設されて、前記各スプールに係合し回転駆動されることにより前記各スプールにテープを巻き戻す複数のテープ巻戻し軸を備え、前記複数の各テープ巻戻し軸は、前記カセット装着部に装着される前記複数種類のテープカセットのうちで対応関係のあるテープカセットに対しては、当該テープカセットのスプールと係合し、対応関係のないテープカセットに対しては、当該テープカセットの凹部内に収容されることを特徴とする。
【００１４】
この第１の発明に係る印字装置によれば、複数種類のテープカセットの夫々に対応して設けられるテープ巻戻し軸が、それらの複数種類のテープカセットとの関係では、対応関係のあるテープカセットに対しては、そのスプールに係合し、対応関係のないテープカセットに対しては、そのカセットケースに形成される凹部に収容されるため、複数種類のテープカセットをカセット装着部に装着するときに、他のテープカセットに対応するテープ巻戻し手段によって干渉されずに装着作業を行うことができ、複数種類の多色印字用のテープカセットを交換可能に使用することができる。
【００１５】
また、第２の発明に係る印字装置は、スプールに巻回したテープをカセットケースに収容するとともに、前記スプールには前記カセットケースの底面より外方に突出させて係合部を形成し、該係合部を印字装置に対応して異なる位置に配置した複数種類のテープカセットが交換可能に装着されるカセット装着部と、前記カセット装着部に装着された前記テープカセットからテープを引き出して順方向に搬送する一方、該テープを逆方向に搬送して前記テープカセットに戻すテープ搬送手段と、前記テープ搬送手段によって順方向及び逆方向に搬送されるテープに多色印字を行う印字手段とを備え、前記テープ搬送手段は、前記複数種類のテープカセットの各スプールに対応して前記カセット装着部の所定の面以下に配設され、前記カセット装着部に装着される前記複数種類のテープカセットのうちで対応関係のあるテープカセットの前記係合部と係合し回転駆動されることにより当該テープカセットのスプールにテープを巻き戻す複数のテープ巻戻し軸を備えることを特徴とする。
【００１６】
この第２の発明に係る印字装置によれば、スプールにカセットケースの所定の面から外方に向けて突設された係合部を形成してなる複数種類のテープカセットに対応して、カセット装着部の所定の面以下に、それらテープカセットの各係合部と係合するテープ巻戻し軸を備えることで、複数種類のテープカセットをカセット装着部に装着するときに、他のテープカセットに対応するテープ巻戻し軸によって干渉されずに装着作業を行うことができ、複数種類の多色印字用のテープカセットを交換可能に使用することができる。
【００１７】
また、第１の発明に係るテープカセットは、スプールに巻回したテープをカセットケースに収容した複数のテープカセットであって、前記テープカセットが装着されるカセット装着部と、前記カセット装着部に装着された前記テープカセットからテープを引き出して順方向に搬送する一方、該テープを逆方向に搬送するべく前記複数のテープカセットに個別に対応して前記カセット装着部内に設けられる複数のテープ巻取り軸を回転駆動し前記テープカセット内にテープを巻き戻すテープ搬送手段と、前記テープ搬送手段によって順方向及び逆方向に搬送されるテープに多色印字を行う印字手段とを備えた印字装置に装着されるものにおいて、前記複数の各テープカセットには、当該各テープカセットが前記カセット装着部に装着された状態で、前記複数のテープ巻戻し軸のうちで対応関係のあるテープ巻戻し軸に係合するべく、当該テープ巻戻し軸に対応してカセットケースにスプールを配設するとともに、前記複数のテープ巻戻し軸のうちで対応関係のないテープ巻戻し軸の干渉を回避するべく、当該テープ巻戻し軸を収容する凹部をカセットケースに形成したことを特徴とする。
【００１８】
この第１の発明に係るテープカセットによれば、テープ印字装置に設けられる複数種類のテープカセットの夫々に対応して設けられるテープ巻戻し軸が、それらの複数種類のテープカセットとの関係では、対応関係のあるテープカセットに対しては、そのスプールに係合し、対応関係のないテープカセットに対しては、そのカセットケースに形成される凹部に収容されるため、複数種類のテープカセットをカセット装着部に装着するときに、他のテープカセットに対応するテープ巻戻し手段によって干渉されずに装着作業を行うことができる。
【００１９】
さらに、第２の発明に係るテープカセットは、スプールに巻回したテープをカセットケースに収容した複数のテープカセットであって、前記テープカセットが装着されるカセット装着部と、前記カセット装着部に装着された前記テープカセットからテープを引き出して順方向に搬送する一方、該テープを逆方向に搬送するべく前記複数のテープカセットに個別に対応して前記カセット装着部の所定の面以下に設けられる複数のテープ巻取り軸を備え、該テープ巻取り軸を回転駆動し前記テープカセット内にテープを巻き戻すテープ搬送手段と、前記テープ搬送手段によって順方向及び逆方向に搬送されるテープに多色印字を行う印字手段とを備えた印字装置に装着されるものにおいて、前記複数の各テープカセットには、当該テープカセットが前記カセット装着部に装着された状態で、前記複数のテープ巻取り軸のうちで対応関係のあるテープ巻取り軸に係合するべく、当該テープ巻戻し軸に対応してカセットケースにスプールを配設するとともに、該スプールの軸方向の端部にカセットケースの所定の面より外方に突出する係合部を設けたことを特徴とする。
【００２０】
この第２の発明に係るテープカセットによれば、スプールの軸方向の端部にカセットケースの底面より外方に突出して係合部を設け、この係合部を、印字装置のカセット装着部の所定の面以下に設けられるテープ巻戻し軸に係合するようにしたことで、複数種類のテープカセットをカセット装着部に装着するときに、他のテープカセットに対応するテープ巻戻し手段によって干渉されずに装着作業を行うことができる。
【００２１】
【発明の実施の形態】
以下、図面を参照して本発明の実施の形態について説明する。
【００２２】
図１及び図２は、本発明の実施の形態に係るテープ印字装置の平面図及びカセット装着部の斜視図である。
【００２３】
このテープ印字装置１は、図７乃及び図８に示す、多色（カラー）印字用のテープ１００ａとインクリボン１０１ａが収容された小型テープカセット７０、多色（カラー）印字用のテープ１００ｂとインクリボン１０１ｂが収容され平面形状が前記小型テープカセット７０より大形状の大型テープカセット８０が装着可能であり、夫々のテープカセットに収容されたテープとインクリボンを用いてカラー印字を行うことができる。
【００２４】
図１のように、テープ印字装置１の装置本体２の上面には、印字すべきデータを入力し印字に必要な種々の設定や指示を行うキーボード３、印字すべきデータや印字に必要な種々の情報を表示する液晶表示部４が設けられ、開閉自在の蓋５でカバーされて前記テープカセット７０、８０のいずれかが交換可能に装着されるカセット装着部６が設けられる。
【００２５】
カセット装着部６には、前記テープカセット７０、８０のテープにインクリボンを使用して印字を行うための機構として、テープの幅方向に配列された複数の発熱体を備えて印字データに基づいて発熱駆動されるサーマルヘッド１０、このサーマルヘッド１０の駆動時に回転駆動されてテープ及びインクリボンを順方向に搬送するプラテン１１、熱転写により使用されたインクリボンを巻き取るリボン巻取り軸１２及びカラー印字中にテープを印字領域の印字開始位置まで逆方向に搬送するテープ巻戻し軸１３、１４が設けられる。サーマルヘッド１０、プラテン１１及びリボン巻取り軸１２は、前記小型テープカセット７０及び前記大型テープカセット８０の双方に共用されるが、テープ巻戻し軸１３は前記小型テープカセット７０のテープの逆送り専用に使用され、テープ巻戻し軸１４は前記大型テープカセット８０のテープの逆送り専用に使用される。これらのテープ巻戻し軸１３，１４はカセット装着部６の内底部上に若干突出して設けられる。
【００２６】
サーマルヘッド１０は、プラテン１１の側に向けて開口するヘッド保護ケース１０ａ内に配置され、後記ヘッド移動機構によってプラテン１１に圧接する印字位置とプラテン１１から開離する非印字位置とに移動可能に設けられている。
【００２７】
プラテン１１、リボン巻取り軸１２及びテープ巻戻し軸１３、１４の夫々は、カセット装着部６の底板７の下部に設けられる駆動機構によって回転駆動される。
【００２８】
また、カセット装着部６には、テープ幅を識別する識別スイッチ１５a、１５ｂ、１５ｃが設けられる。
【００２９】
また、カセット装着部６には、カラー印字用のテープに施された位置合わせ用マークを検知する位置マークセンサ１６及びカラー印字用のインクリボンに施された複数色の各インクの頭出し用のマークを検知する頭出しマークセンサ１７が夫々テープ及びインクリボンの搬送経路に臨んで設けられる。
【００３０】
１８は印字されたテープが装置外に排出される排出口であり、排出口１８の近部には固定刃１９と可動刃２０を備えて印字済のテープを切断するカッターが設けられる。
【００３１】
このテープ印字装置１では、正逆転可能なモータを駆動源としてプラテン１１、リボン巻取り軸１２及びテープ巻戻し軸１３、１４が回転駆動され、サーマルヘッド１０がプラテン１１に対して移動される。
【００３２】
図３及び図４は、カセット装着部６の底面下に設けられるテープとインクリボンの搬送及びサーマルヘッド１０の移動のための駆動機構の説明図であり、図５はその駆動機構の動作説明図である。
【００３３】
以下、それらの駆動機構について説明する。
まず、テープとインクリボンの搬送駆動機構は、テープとインクリボンとを共に順方向に搬送する順送り機能と、テープのみを順方向とは反対の逆方向に搬送する逆送り機能とを有する。この搬送駆動機構は正逆転可能なステップモータ２２を駆動源とし、ステップモータ２２の正転時に前記順送りが行われ、ステップモータ２２の逆転時に前記逆送りが行われる。
【００３４】
まず、図３に基づいて前記搬送駆動機構のうちの順送り駆動機構について説明する。
ステップモータ２２の正転時には、ステップモータ２２の出力軸に設けられるモータギア２３、２段ギア２４、ギア２５、２段ギア２６、ギア２７、ギア２８、ギア２９、ワンウェイギア３０、２段ギア３１、プラテンギア３２の順で回転駆動力が伝達されて、プラテンギア３２の軸上に設けられたプラテン１１が回転駆動され、さらにプラテンギア３２を介してリボン巻取りギア３３に回転駆動力が伝達されてリボン巻取りギア３３と同一軸に設けられたリボン巻取り軸１２が回転駆動される。
【００３５】
ギア２８とギア２９とは同一軸上の上下に間隔をおいて互いに独立して回転可能に設けられており、ギア２８の下面に係合用の突部２８ａが設けられ、ギア２９の上面に突部２８ａと係合可能な突部２９ａが設けられている。印字開始時、すなわちステップモータ２２の正転駆動が開始されるときの両突部２８ａ、２９ａの位置関係は図３の通りであり、ステップモータ２２の正転駆動（図３で矢印Ａの方向）が始まると、まずギア２８が図３の矢印Ｂの方向に回転し、突部２８ａが突部２９ａの位置まで達してこれに係合してからギア２９の矢印Ｂの方向への回転が始まる。これにより、ステップモータ２２の正転駆動の開始から所定のタイミングだけ遅延してプラテン１１及びリボン巻取り軸１２が回転駆動されるようにしている。なお、この遅延時間の間にサーマルヘッド１０の移動機構が駆動されてサーマルヘッド１０の印字位置への移動が行われる。
【００３６】
また、前記ワンウェイギア３０はステップモータ２２の正転時のみその回転駆動力をプラテン１１及びリボン巻取り軸１２に伝達するが、ステップモータ２２の逆転時には、その回転駆動力をプラテン１１及びリボン巻取り軸１２に伝達しないように構成されている。
【００３７】
また、図３に示す駆動機構にはサーマルヘッドの移動機構も含まれており、このヘッド移動機構は前記搬送駆動機構と同一のステップモータ２２を駆動源とし、ステップモータ２の正転及び逆転の初期段階で動作し、正転時にはサーマルヘッド１０をプラテン１１に向けて移動させ、逆転時にはサーマルヘッド１０をプラテン１１から離れる方向に動作させる。
【００３８】
すなわち、ヘッド移動機構は、モータギア２３、２段ギア２４及びギア２５までの伝達経路を前記搬送駆動機構と共用し、それらに加えて、ギア２５に噛み合う２段ギア３４、アーム３５に取付けられ太陽ギアとなる２段ギア２９のうちの下部ギア３４ａに噛み合って軸３６に対して揺動可能に設けられる第１遊星ギア３７及び第２遊星ギア３８、第１遊星ギア３７及び第２遊星ギア３８と噛み合うカムギア３９、カムギア３９に係合して移動する移動プレート４３、サーマルヘッド１０を支持するとともに移動プレート４３の移動に連動して軸４６を中心に回動するヘッドアーム４７で構成される。
【００３９】
また、図３に図示する搬送駆動機構のうちテープの逆送り駆動機構について説明すると、この逆送り駆動機構は、小型テープカセット７０に対応してテープ巻戻し軸１３を回転駆動する第１のテープ逆送り駆動機構と、大型テープカセット８０に対応してテープ巻戻し軸１４を回転駆動する第２のテープ逆送り駆動機構を備える。
【００４０】
第１のテープ逆送り駆動機構は、モータギア２３から第２遊星ギア３８に至るまでの伝達経路を前記ヘッド移動駆動機構と共用し、さらに第２遊星ギア３８に噛み合うテープ巻戻しギア５０を加えて構成される。テープ巻戻しギア５０の軸上にはテープ巻戻し軸１３が取付けられている。
【００４１】
第２のテープ逆送り駆動機構は、前記第１のテープ逆送り駆動機構、テープ巻戻しギア５０に噛み合うギア５１、そのギア５１に噛み合うテープ巻戻しギア５２、テープ巻戻しギア５２によって構成される。テープ巻戻しギア５２の軸上にはテープ巻戻し軸１４が取付けられる。
【００４２】
図４は前記駆動機構の要部を示す。図示のように、カムギア３９は、円板形状に形成されてシャーシ５５に設けられた支持軸５６に回転可能に設けられる。このカムギア３９は、図３に図示のように、テープ巻戻しギア５０より大径の外周部分にギア部が形成されるとともに、その外周部分の所定位置で厚み方向の下部に前記第１遊星ギア３７が入り込む第１凹部４０が形成され、外周部分の他の所定位置で厚み方向の上部に前記第２遊星ギア３８が入り込む第２凹部４１が形成されている。これら第１凹部４０及び第２凹部４１の部分にはギア部は形成されていない。第２遊星ギア３８が第２凹部４１に入り込んだ状態では第２遊星ギア３８はテープ巻戻しギア５０と噛み合う。また、カムギア３９の下面には、中心部から周縁部に向けた円弧状のカム溝４２が形成されている。
【００４３】
このカムギア３９のカム溝４２には、移動プレート４３の一端部に設けられたピン４４が係合する。移動プレート４３は、図３において左右の方向に平行に移動可能に設けられており、移動プレート４３の他端部には上方に起立した連結片４５が形成され、この連結片４５がヘッドアーム４７の側部に下方に折り曲げて形成した連結片４８に係止される。これにより、移動プレート４３を介してカムギア３９の動きにヘッドアーム４７が連動するように構成されている。
【００４４】
サーマルヘッド１０を回動可能に支持するヘッドアーム４７の端部とシャーシ５５との間にはヘッド加圧バネ４９が張設される。このヘッド加圧バネ４９は、常にヘッドアーム４７が反時計回りの方向に回動するべく付勢しており、印字位置に移動したサーマルヘッド１０をプラテン１１に圧接させるべく作用する。
【００４５】
また、テープ巻戻しギア５０は、カムギア３９とともに支持軸５６に回転可能に設けられる。このテープ巻戻しギア５０は、支持軸５６上でカムギア３９より上方に設けられ、かつカムギア３９とは独立して回転可能に設けられている。
【００４６】
次に、印字時における前記各駆動機構の動作について説明する。
カラー印字の開始時には駆動機構は図３に示す状態である。まずステップモータ２２が矢印Ａの方向に正転駆動されると、その回転駆動力は、モータギア２３、２段ギア２４、ギア２５、２段ギア２６、ギア２７、ギア２８、ギア２９、ワンウェイギア３０、２段ギア３１、プラテンギア３２及びリボン巻取りギア３３の順で伝達されてプラテン１１及びリボン巻取り軸１２が回転駆動される。矢印Ｂ、Ｃ、Ｄは夫々ギア２８、プラテン１１及びリボン巻取り軸１２の回転方向を示す。このとき、前述のように、ギア２８とギア２９の間には駆動力の伝達を遅延させる機構が設けられているため、プラテン１１及びリボン巻取り軸１２は所定の時間だけ遅れて回転駆動される。
【００４７】
また、ステップモータ２２の正転駆動が開始されると、その回転駆動力はモータギア２３、２段ギア２４、ギア２５、２段ギア３４及び第１遊星ギア３７の順に伝達され、軸３６を中心にアーム３５が矢印Ｅの方向に揺動して第１遊星ギア３７がカムギア３９に噛合し、カムギア３９が矢印Ｆの方向に回転する。このカムギア３９の回転によって移動プレート４３に設けられたピン４４はカム溝４２に沿ってカムギア３９の円周方向に向け移動し、これに伴って移動プレート４３は図３の右方向に移動する。ヘッドアーム４７はヘッド加圧バネ４９によってシャーシ５５に向けて付勢されているので、ヘッドアーム４７は軸４６を中心に矢印Ｇの方向に回動しサーマルヘッド１０は印字位置に移動してプラテン１１に圧接することになる。ステップモータ２２の正転駆動の開始からサーマルヘッド１０の印字位置への移動時間に対応して、ギア２８とギア２９によって構成される前記駆動力の伝達遅延機構の遅延時間が設定されている。
【００４８】
ステップモータ２２が更に正転駆動すると、第１遊星ギア３７はカムギア３９の所定位置でその厚さ方向の下部に形成された第1凹部４０に嵌り込み、第１遊星ギア３７とカムギア３９のギア部との噛み合わせが解かれる。
【００４９】
以下、サーマルヘッド１０が印字データに基づいて発熱駆動されてインクリボンのインクがテープに熱転写印字され、それに対応してステップモータ２２が正転駆動されてテープとインクリボンがプラテン１１によって搬送され、リボン巻取り軸１２による使用済のインクリボンの巻取りが行われる。このとき、第１遊星ギア３７はカムギア３９の第1凹部４０に嵌り込んで、そこで空転を続けるため、カムギア３９は停止した状態を維持しサーマルヘッド１０はプラテン１１に圧接する印字位置に保持される。
【００５０】
カラー印字では、印字前のステップモータ２２の正転駆動時にインクリボンの各色インクの頭出しが行われ、またテープの同一印字領域にイエロー、マゼンタ、シアンの各色インクによる３回の重ね印字が行われるため、１色のインクの印字終了毎にテープを印字領域の印字開始位置に巻き戻す必要がある。
【００５１】
図５は小型テープカセット７０がカセット装着部６に装着されたときに、テープ巻戻し軸１３を駆動してテープ１００ａを巻き戻す動作説明図である。
【００５２】
図５のように、サーマルヘッド１０が印字位置に位置し、第１遊星ギア３７とカムギア３９の第1凹部４０に嵌り込んだ状態で、テープを印字領域の印字開始位置に巻き戻すためにステップモータ２２が逆転駆動すると、その回転駆動力はモータギア２３、２段ギア２４、ギア２５、２段ギア３４及び第２遊星ギア３８の順に伝達され、軸３６を中心にアーム３５が矢印Ｈの方向に揺動して第２遊星ギア３８がカムギア３９に噛合し、カムギア３９が矢印Ｊの方向に回転する。このカムギア３９の回転によって移動プレート４３に設けられたピン４４はカム溝４２に沿ってカムギア３９の中心方向に向け移動し、これに伴って移動プレート４３は図５の左方向に移動し、ヘッドアーム４７は軸４６を中心に矢印Ｋの方向に回動してサーマルヘッド１０が印字位置から開離する。これにより、サーマルヘッド１０とプラテン１１との間に挟圧されていたテープが開放される。サーマルヘッド１０が印字位置から非印字位置に移動した後に、第２遊星ギア３８はカムギア３９の所定位置でその厚さ方向の上部に形成された第２凹部４１に嵌り込む。第２遊星ギア３８はカムギア３９の第２凹部４１に嵌り込んだ状態ではテープ巻戻しギア５０と噛み合う。
【００５３】
しかして、更にステップモータ２２が逆転駆動することで、テープ巻戻しギア５０は矢印Ｌの方向に回転しテープ巻戻し軸１３によって小型テープカセット７０のテープ１００ａの巻き戻しが行われる。また、同時にギア５１を介してテープ巻戻しギア５２が矢印Ｍ方向に回転しテープ巻戻し軸１４によって大型テープカセット８０のテープ１００ｂの巻き戻しが行われる。
【００５４】
このとき、第２遊星ギア３８はテープ巻戻しギア５０とは噛み合うがカムギア３９との噛み合いは外れているため、カムギア３９は停止したままでありサーマルヘッド１０は非印字位置に保持される。
【００５５】
なお、このテープ印字装置では、印字終了時にもサーマルヘッド１０を非印字位置まで移動して印字動作を完了する。このときにもステップモータ２２は逆転駆動される。
【００５６】
図４に戻って、テープ巻戻し軸１３について、更に説明すると、テープ巻戻し軸１３はテープ巻戻しギア５０の上面の中心部に設けられ、その上端部にテープカセット７０のスプール７１に係合する係合部１３ａがカセット収容部６の内底部の底板７より上方に突出して設けられる。この係合部１３ａは小型テープカセット７０のスプール７１の底面７０ｃ側の内側端部に設けられる係合部と係合可能な程度の高さに底板７上に突出して設けられる。
【００５７】
なお、大型テープカセット８０に対応するテープ巻戻し軸１４もテープ巻戻し軸１３と同様にして設けられる。
【００５８】
次に、テープ印字装置１に使用されるテープカセットの構成について説明する。
カラー印字用の小型テープカセット７０は、図２の斜視図及び７（ａ）の断面図によって示される。
このテープカセット７０は、カラー印字用のテープ１００ａを巻回しテープ巻戻し軸１３に係合されるテープ供給スプール７１と、多色インクリボン１０１ａを巻回したリボン供給スプール７２ａ及びリボン巻取り軸１２に係合されるリボン巻取スプール７２ｂとを収容する下ケース７０ａと、該下ケース７０ａの蓋となる上ケース７０ｂとから構成され、これらケースにはサーマルヘッド１０が挿入されるヘッド挿入部７３が形成されている。前記テープ供給スプール７１は、底面７０ｃ側の内側にテープ巻戻し軸１３の係合部１３ａと係合するためにフィンを有する係合部７１ｂが設けられ、上下両端が上ケース７０ｂと下ケース７０ａに形成された軸受穴に回転可能に嵌め込まれて支持される。前記係合部７１ｂは、カセット装着部６の内底部上に若干突出して設けられるテープ巻戻し軸１３の係合部１３ａに係合するべく、カセットケースの底面７０ｃ側に設けられている。
【００５９】
また、リボン供給スプール７２ａ及びリボン巻取スプール７２ｂも上下両端が上ケース７０ｂと下ケース７０ａに形成された軸受穴に回転可能に嵌め込まれて支持される。
【００６０】
また、下ケース７０ａの底面７０ｃには、テープ巻戻し軸１４が対応する位置に、当該小型テープカセット７０がカセット装着部６に装着されるときに、カセット装着部６の底板７上に突出するテープ巻戻し軸１４を回避するための凹部７４が形成されている。
【００６１】
前記カラー印字用のテープ１００ａには、裏面の長手方向に前記位置マークセンサ１６によって検知可能な位置マークが所定の間隔で連続して施されており、前記多色インクリボン１０１ａには、長手方向にイエロー、マゼンタ、シアンの帯状のインク領域が繰り返し配置され、各インク領域の先頭位置には前記頭出しマークセンサ１７によって検知可能な頭出しマークが設けられている。これらテープ１００ａ及び多色インクリボン１０１ａはテープ供給スプール７１及びリボン供給スプール７２ａからヘッド挿入部７３に重ねて引き出されサーマルヘッド１０に供給されて印字が行われる。
【００６２】
また、下ケース７０ａには、前記識別スイッチ１５ａ〜１５ｃによってテープカセットの種類を識別するべく識別部が形成される。この識別部は、前記識別スイッチ１５ａ〜１５ｃの対応位置に設ける穴の有無により前記複数の識別スイッチ１５ａ〜１５ｃをオンオフ操作する。
【００６３】
また、図２及び図６（ｂ）はカラー印字用の大型テープカセット８０の斜視図及び断面図である。
この大型テープカセット８０は、カラー印字用のテープ１００ｂを巻回しテープ巻戻し軸１４が係合されるテープ供給スプール８１と、カラー印字用の多色インクリボン１０１ｂを巻回したリボン供給スプール８２ａ及びリボン巻取り軸１２が係合されるリボン巻取スプール８２ｂとを収容する下ケース８０ａと、該下ケース８０ａの蓋となる上ケース８０ｂとから構成され、これらケースにはサーマルヘッド１０が挿入されるヘッド挿入部８３が形成されている。前記テープ供給スプール８１は、底面８０ｃ側の内側にテープ巻戻し軸１４の係合部１４ａと係合するためにフィンを有する係合部８１ｂが設けられ、上下両端が上ケース８０ｂと下ケース８０ａに形成された軸受穴に回転可能に嵌め込まれて支持される。前記係合部８１ｂは、カセット装着部６の内底部上に若干突出して設けられるテープ巻戻し軸１４の係合部１４ａに係合するべく、カセットケースの底面８０ｃ側に設けられている。
【００６４】
また、リボン供給スプール８２ａ及びリボン巻取スプール８２ｂも上下両端が上ケース８０ｂと下ケース８０ａに形成された軸受穴に回転可能に嵌め込まれて支持される。
【００６５】
また、下ケース８０ａの底面８０ｃには、テープ巻戻し軸１３が対応する位置に、当該大型テープカセット８０がカセット装着部６に装着されるときに、カセット装着部６の底板７上に突出するテープ巻戻し軸１３を回避するための凹部８４が形成されている。
【００６６】
前記カラー印字用のテープ１００ｂにも裏面の長手方向に位置マークが所定の間隔で連続して施されており、前記多色インクリボン１０１ｂには、長手方向にイエロー、マゼンタ、シアンの帯状のインク領域が繰り返し配置され、各インク領域の先頭位置には前記頭出しマークが設けられている。これらカラー印字用のテープ１００ｂ及び多色インクリボン１０１ｂはテープ供給スプール８１及びリボン供給スプール８２ａからヘッド挿入部８３に重ねて引き出されサーマルヘッド７に供給されて印字が行われる。
【００６７】
また、下ケース８０ａには、前記識別スイッチ１５ａ〜１５ｃによってテープカセットの種類を識別するべく識別部が形成される。
【００６８】
この大型テープカセット８０に収容されるテープ１００ｂは、未使用状態において、前記小型のテープカセット７０に収容されるテープ１００ａより長尺とし、インクリボン１０１ｂもテープ１００ｂに対応する長さを有している。従って、その長尺のテープを収容してテープの収容量を多くしたために、大型テープカセット８０のカセットケース８０ａ、８０ｂは小型のテープカセット７０のカセットケース７０ａ、７０ｂに比べて平面形状が大型の外形形状を有している。
【００６９】
なお、テープカセット７０、８０には、収容するテープ及びインクリボンの幅が異なるものが複数種類用意されている。
【００７０】
図７は、小型テープカセット７０をテープ印字装置１のカセット装着部６に装着した状態を示す。
小型テープカセット７０を上方からカセット装着部６に挿入すると、小型テープカセット７０のヘッド挿入部７３にサーマルヘッド１０が挿入され、リボン巻取りスプール７２ａにリボン巻取り軸１２が係合し、テープ供給スプール７１の係合部７１ａにテープ巻戻し軸１３係合部１３ａが挿入されて係合することで、小型テープカセット７０はカセット装着部６の所定の領域に位置決めされて装着される。
【００７１】
この所定の領域内には、大型テープカセット８０に対応するテープ巻戻し軸１４が配設されているが、小型テープカセット７０の底面７０ｃには、テープ巻戻し軸１４の位置に対応して凹部７４が形成されているため、凹部７４によってテープ巻戻し軸１４と小型テープカセット７０との当たりが回避されて小型テープカセット７０のカセット装着部６への装着がテープ巻戻し軸１４によって干渉を受けることはない。
【００７２】
また、図８は、大型テープカセット８０をテープ印字装置１のカセット装着部６に装着した状態を示す。
大型テープカセット８０を上方からカセット装着部６に挿入すると、大型テープカセット８０のヘッド挿入部８３にサーマルヘッド７が挿入され、リボン巻取りスプール８２ａにリボン巻取り軸１２が係合し、テープ供給スプール８１にテープ巻戻し軸１４の係合部１４ａが挿入されて係合することで、大型テープカセット８０はカセット装着部６の所定の領域に位置決めされて装着される。
【００７３】
この所定の領域には、小型テープカセット７０に対応するテープ巻戻し軸１３が配設されているが、大型テープカセット８０の底面８０ｃには、テープ巻戻し軸１３の位置に対応して凹部８４が形成されているため、凹部８４によってテープ巻戻し軸１３と小型テープカセット７０との突き当たりが回避されて大型テープカセット８０のカセット装着部６への装着がテープ巻戻し軸１３によって干渉を受けることはない。
【００７４】
図９は、テープ印字装置の電子回路のブロック図を示す。
この印字装置１の電子回路には、ＣＰＵからなる制御部１１０が備えられる。制御部１１０には、印字データや印字に関する指令情報などを入力するキーボード３、入力された印字データや印字に関する情報等を表示する表示部４、装置の動作処理に関するシステムプログラムを記憶するＲＯＭ１１１、印字データ及び印字の処理に必要な各種の情報を記憶するＲＡＭ１１２が接続される他、サーマルヘッド１０の発熱体を印字データに応じて発熱駆動する駆動回路１１３、プラテン１１やリボン巻取り軸１２及びテープ巻戻し軸１３、１４を回転駆動しサーマルヘッド１０を移動するためのステップモータ２２の駆動回路１１４、テープを切断するカッターモータ１１５を駆動するための駆動回路１１６が接続される。
【００７５】
また、識別スイッチ１５ａ〜１５ｃ、位置マークセンサ１６及び頭出しマークセンサ１７が制御部１１０に接続されている。
【００７６】
次に、図１０は本発明の実施形態における印字処理を示すフローチャートである。
カセット装着部６に小型テープカセット７０（又は大型テープカセット８０）が装着された状態で、キーボード３より印字開始の指示があると印字処理が開始される。
【００７７】
まず、ステップモータ２２が正転駆動され、前記ヘッド移動機構が駆動されてサーマルヘッド１０がプラテン１１に圧接する印字位置に移動される（ステップＳ１）。サーマルヘッド１０が印字位置に移動した状態でサーマルヘッド１０を駆動することなくステップモータ２２が更に正転駆動されると、前記搬送駆動機構の順送り駆動機構が駆動されてテープ１００ａ（１００ｂ）及びインクリボン１０１ａ（１０１ｂ）が重ね合わされて搬送されインクリボン１０１ａ（１０１ｂ）の所定の色インクの頭出し処理が行なわれる。頭出しマークセンサ１７によって頭出しマークが検知されたときにステップモータ２２の正転駆動が停止される。この間、テープ１００ａ（１００ｂ）もインクリボン１０１ａ（１０１ｂ）とともに搬送されており、位置マークセンサ１６によって通過するテープ１００ａ（１００ｂ）上の位置マークの数が計数されている（ステップＳ２）。
【００７８】
所定の色インクの頭出し終了後、ステップモータ２２が逆転駆動され前記ヘッド移動機構が駆動されてサーマルヘッド１０がプラテン１１から開離する非印字位置に移動する（ステップＳ３）。続けてステップモータ２２が逆転駆動される。これにより、テープ巻戻し軸１３、１４が回転駆動されてテープ１００ａがテープ供給スプール７１に巻き戻される。この巻戻し時にもテープ１００ａに付された位置マークが計数され、その計数値に基づいて頭出し時のテープ搬送量と同量の長さが巻き戻される（ステップＳ４）。
【００７９】
その後、ステップモータ２２が正転駆動され前記ヘッド移動機構が駆動されてサーマルヘッド１０が印字位置に移動する（ステップＳ５）。そして、サーマルヘッド１０が印字位置に移動した状態で印字データに基づいてサーマルヘッド１０が駆動されつつ、ステップモータ２２の正転駆動によってテープ１００ａ（１００ｂ）とインクリボン１０１ａ（１０１ｂ）が搬送されて所定の色インクの印字が行われる（ステップＳ６）。
【００８０】
所定の色インクの印字が終了すると、全ての色の印字が終了したか判断され、終了していなければ、サーマルヘッド１０を印字位置に保持したままでステップモータ２２が更に正転駆動されて次の色インクの頭出し処理が行われる（ステップＳ７、Ｓ８）。
【００８１】
その後、ステップモータ２２が逆転駆動されてサーマルヘッド１０を非印字位置に移動させ（ステップＳ９）、続けてステップモータ２２が逆転駆動されテープ巻戻し軸１３、１４が回転駆動されて前記ステップＳ６の印字と前記ステップＳ８の頭出しによって搬送された分だけテープ１００ａ（１００ｂ）の巻戻しが行われる。これにより、テープ１００ａ（１００ｂ）はその印字領域の印字開始位置まで巻き戻される（ステップＳ１０）。
【００８２】
以下、全ての色の印字が終了するまで、前記ステップＳ６の印字、前記ステップＳ８の頭出し及び前記ステップＳ１２のテープ巻戻しが繰り返される。
【００８３】
全ての色の印字の終了が判断されると、テープ１００ａ（１００ｂ）は排出口１８に向けて搬送され（ステップＳ１１）、カッターによる切断処理が行われる（ステップＳ１２）。
【００８４】
テープの切断が行われた後には、プラテン１１に圧接して印字位置にあるサーマルヘッド１０を、ステップモータ２２を逆転駆動することにより非印字位置まで移動させた上で全ての処理を終了する（ステップＳ１３、ＥＮＤ）。
【００８５】
以上のように、本実施形態によるテープ印字装置及びテープカセットでは、テープ巻戻し軸１３がカセット装着部６内の大型テープカセット８０の装着領域に突出して設けられているが、大型テープカセット８０にはテープ巻戻し軸１３に対応して凹部８４が形成されているため、大型テープカセット８０の装着時には、テープ巻戻し軸１３は凹部８４に収容され、大型テープカセット８０はテープ巻戻し軸１３干渉を受けずに装着することができる。小型テープカセット７０についても同様であり、小型テープカセット７０の装着時には、大型テープカセット８０に対応し小型テープカセット７０の装着領域に突出して設けられているテープ巻戻し軸１４は凹部７４に収容される。従ってカラー印字用の大小テープカセット７０、８０をカセット装着部６に交換可能に装着することができて、それらのテープカセットに収容されたテープにカラー印字を行なうことができる。
【００８６】
次に、図１１に基づいて他の実施形態に係るテープ印字装置及びテープカセットについて説明する。
【００８７】
前述の実施の形態に係るテープ印字装置では、テープ巻戻し軸１３、１４をカセット装着部６の底板７上に突出して設けたが、図１１に示す他の実施形態に係るテープ印字装置では、テープ巻戻し軸１３Ａ、１４Ａをカセット装着部６Ａの底板７Ａ下に後退した位置に設ける点で相違する。
【００８８】
また、前述の実施の形態に係るテープカセット７０、８０には、テープ巻戻し軸１３、１４に対応して、テープを巻回したスプール７１、８１の底面側端部に係合部を設け、かつカセットケースの底面側に凹部７４、８４を形成したが、図１１に示す他の実施形態に係る第１の（小型）テープカセット７０Ａ及び第２の（大型）テープカセット８０Ａには、テープを巻回したスプール７１Ａ、８１Ａの底面側の端部にカセットケースの底面７０Ｃ、８０Ｃから突出して係合部７１Ｂ、８１Ｂを設ける点で前述のテープカセットとは相違している。
【００８９】
すなわち、テープ印字装置のカセット装着部６Ａの内底部の底板７Ａには、テープ巻戻し軸１３Ａ、１４Ａの位置に対応して貫通穴からなる係合部挿通穴７６，７７が形成され、それらの挿通穴７６，７７の直下の装置内部に係合部１３Ｂ、１４Ｂを有するテープ巻戻し軸１３Ａ、１４Ａが位置して設けられている。また、小型テープカセット７０Ａ及び大型テープカセット８０Ａのテープ１００Ａ、１００Ｂを巻回する夫々のスプール７１Ａ、８１Ａのカセットケース底面７０Ｃ、８０Ｃ側の端部には、カセットケース底面７０Ｃ、８０Ｃから外方に突出する円筒状の突出部７１Ｃ，８１Ｃを有しており、その突出部７１Ｃ，８１Ｃの内側には係合部７１Ｂ、８１Ｂが形成されている。突出部７１Ｃ，８１Ｃは前記挿通穴７６，７７に挿通可能な外径寸法を有し、また突出部のカセットケース底面７０Ｃ、８０Ｃからの突出長及びその内側に形成される係合部７１Ｂ、８１Ｂの位置は、小型テープカセット７０Ａ及び大型テープカセット８０Ａのカセットケース底面７０Ｃ、８０Ｃがカセット装着部６Ａの底板７Ａ上に載置されてカセット装着部６Ａ内の所定の位置に装着されたときに、スプールの突出部７１Ｃ，８１Ｃの内側の係合部７１Ｂ、８１Ｂとテープ巻戻し軸１３Ａ、１４Ａの係合部１３Ｂ，１４Ｂが係合可能な関係に決められている。
【００９０】
以上のように、この実施の形態によるテープ印字装置及びテープカセットでは、大小のテープカセット７０Ａ、８０Ａに対応するテープ巻戻し軸１３Ａ、１４Ａがカセット装着部６Ａの内底部の底面以下に設けられるため、カセット装着部６Ａには、種類の異なるテープカセットが装着される際に、それに干渉する突起物が存在しない。従って、大小テープカセット７０Ａ、８０Ａをカセット装着部６Ａに装填し、テープ供給スプール７１Ａ、８１Ａの端部で外方に突出する係合部７１Ｂ、８１Ｂを装着部底面の夫々のテープ巻戻し軸１３Ａ、１４Ａに係合することで、大小テープカセット７０Ａ、８０Ａをカセット装着部６Ａに交換可能に装着することができて、それらのテープカセットに収容されたテープにカラー印字を行なうことができる。
【００９１】
なお、テープ巻戻し軸１３Ａ、１４Ａの先端（上端）が挿通穴７６，７７の内部に配置されるように設けてよく、カセット装着部６Ａの底板７Ａ上に突出して設けてもよい。テープ巻戻し軸１３Ａ、１４Ａの先端がカセット装着部６Ａの底板７Ａ上に突出する場合には、小型テープカセット７０Ａ及び大型テープカセット８０Ａのカセットケース底面７０Ｃ、８０Ｃとカセット装着部６Ａの底板７Ａの間に所定の隙間を形成して対応関係にないテープ巻戻し軸の先端がカセットケース底面に当接して干渉することがないようにする必要がある。この場合には、例えば、カセット装着部６Ａの底板７Ａ上に少なくとも前記隙間寸法を確保して装着される小型テープカセット７０Ａ及び大型テープカセット８０Ａのカセット装着部６Ａ内での上下方向の位置決めができる突起部を設ける。
【００９２】
【発明の効果】
以上のように、本発明に係る印字装置によれば、複数種類のテープカセットに対応したテープ巻戻し手段を備えた多色印字機能を有する印字装置にあって、前記複数種類のテープカセットをカセット装着部に装着するときに、他のテープカセットに対応するテープ巻戻し手段によって干渉されずに装着作業を行うことができ、２種類の多色印字用のテープカセットを交換可能に使用することができる。
【００９３】
また、本発明に係るテープカセットによれば、印字装置に設けられる他のテープカセットに対応するテープ巻戻し手段によって干渉されずに装着作業を行うことができ、多色印字用の印字装置に、例えばテープの収容量が異なるために形状が大小異なる複数種類のものを対応させて使用することができる。
【図面の簡単な説明】
【図１】本発明の実施の形態に係るテープ印字装置の平面図。
【図２】前記テープ印字装置のカセット装着部及びテープカセットの斜視図。
【図３】前記テープ印字装置の駆動機構の全体構成図。
【図４】前記テープ印字装置の駆動機構の要部の構成図。
【図５】前記テープ印字装置の駆動機構の動作説明図。
【図６】図６（ａ）は小型テープカセットの一部を切欠した断面図、図６（ｂ）は大型テープカセットの一部を切欠した断面図。
【図７】前記テープ印字装置に前記小型テープカセットを装着した状態の説明図。
【図８】前記テープ印字装置に前記大型テープカセットを装着した状態の説明図。
【図９】テープ印字装置の電子回路のブロック図を示す。
【図１０】印字処理を示すフローチャート。
【図１１】本発明の他の実施の形態に係るテープ印字装置及びテープカセットの構成説明図。
【符号の説明】
１、１Ａ  …テープ印字装置
２  …装置本体
６、６Ａ  …カセット装着部
７、７Ａ  …底板
１０  …サーマルヘッド
１１  …プラテン
１２  …リボン巻取り軸
１３、１３Ａ、１４、１４Ａ  …テープ巻戻し軸
１３ａ、１４ａ  …係合部
１６  …位置マークセンサ
１７  …頭出しマークセンサ
３２  …プラテンギア
３３  …リボン巻取りギア
３４ａ  …下部ギア
４０  …第１凹部
４１  …第２凹部
４２  …カム溝
４３  …移動プレート
４４  …ピン
５０  …テープ巻戻しギア
５２  …テープ巻戻しギア
７０、７０Ａ  …小型テープカセット
７０ｃ、７０Ｃ  …底面
７１、７１Ａ  …テープ供給スプール
７１ａ  …係合穴
７１ｂ、７１Ｂ  …係合部
７１Ｃ  …突出部
７２ａ  …リボン供給スプール
７２ｂ  …リボン巻取スプール
７３  …ヘッド挿入部
７４  …凹部
７６、７７  …挿通穴
８０、８０Ａ  …大型テープカセット
８０ｃ、８０Ｃ  …底面
８１、８１Ａ  …テープ供給スプール
８１ａ  …係合穴
８１ｂ、８１Ｂ  …係合部
８１Ｃ  …突出部
８２ａ  …リボン供給スプール
８２ｂ  …リボン巻取スプール
８３  …ヘッド挿入部
８４  …凹部
１００ａ、１００ｂ  …印字用のテープ
１０１ａ、１０１ｂ  …多色インクリボン
１１３、１１４、１１６  …駆動回路
１１５  …カッターモータ
【図１】
0003714202.tif 000002
【図２】
0003714202.tif 000003
【図３】
0003714202.tif 000004
【図４】
0003714202.tif 000005
【図５】
0003714202.tif 000006
【図６】
0003714202.tif 000007
【図７】
0003714202.tif 000008
【図８】
0003714202.tif 000009
【図９】
0003714202.tif 000010
【図１０】
0003714202.tif 000011
【図１１】
0003714202.tif 000012